(57)【要約】      （修正有）【課題】買い物カゴを固定するための固定ベルトによりブレーキが効いた状態が維持されてしまうことを防止する歩行補助車を提供する。【解決手段】下端に前輪を備えた前輪用フレームと、下端に後輪を備えた後輪用フレームと、上部が利用者が把持するハンドル部３ａとなるハンドルフレーム３と、以上の前脚フレームと後脚フレームとハンドルフレームとにより成る本体フレームの上下方向の中途部水平方向に設けられるバッグ用フレームと、バッグ用フレームに取り付けられるバッグとにより成る歩行補助車において、端部に留め具を備えると共に、中途部に剛性部を備え、オス型の面状ファスナ４０とメス型の面状ファスナ４０を備えた固定ベルト３０をハンドル部に取り付けて構成した。【選択図】図１
2018111376.tif 000002
【特許請求の範囲】
【請求項１】
下端に前輪を備えた前輪用フレームと、下端に後輪を備えた後輪用フレームと、上部が利用者が把持するハンドル部となるハンドルフレームと、以上の前脚フレームと後脚フレームとハンドルフレームとにより成る本体フレームの上下方向の中途部水平方向に設けられるバッグ用フレームと、バッグ用フレームに取り付けられるバッグと、により成る歩行補助車において、
ハンドル部に面状ファスナを巻回したこと、
一方面に雄型の面状ファスナが装着され、他方面に雌型の面状ファスナが装着され、端部に留め具を備え、中途部に剛性部を備えた固定ベルトをハンドル部に取り付けた面状ファスナに取り付けたこと、
を特徴とする歩行補助車。
【請求項２】
剛性部が薄板を固定して構成した請求項１に記載の歩行補助車。
【発明の詳細な説明】
【技術分野】
【０００１】
本発明は老人などが使用する歩行補助器等の歩行補助車に関するものであり、より詳しくはカゴや荷物を固定したり、あるいは荷物などを吊り下げる際に用いるベルトを有する歩行補助車に関する。
【背景技術】
【０００２】
老人等が歩行する際、その歩行を補助するための歩行補助車が用いられることがある。この歩行補助車には様々なタイプがあり、たとえば買い物時に購入した物品を収容できるバッグを備えたものがある。
【０００３】
このバッグを備えた従来の歩行補助車７を模式的に表したのが図４乃至図６である。歩行補助車７は、下端に前輪１ａを備えた前輪用フレーム１と、下端に後輪２ａを備えた後輪用フレーム２と、上部が利用者が把持するハンドル部３ａとなるハンドルフレーム３と、以上の前脚フレーム１、後脚フレーム２及びハンドルフレーム３より成る本体フレームの上下方向の中途部水平方向に設けられるバッグ用フレーム４を主な構成要素とする。このバッグ用フレーム４には、バッグ５を嵌め込むことが可能である。
【０００４】
このバッグ５は上面が開放されていて、この上面は蓋５ａによって開閉されるようになっている。この蓋５ａは利用者が着座することが可能に構成されることが多い。
【０００５】
また、ハンドル部３ａと平行してブレーキ棒９が設けられており、ハンドル部３ａに手のひらを載せた状態でブレーキ棒９を握ると、ワイヤ１０が引き上げられ、ワイヤ１０と連結された制動部１１が後輪２に当接することでブレーキがかかる構造となっている。
【０００６】
特許文献１には、上記従来の歩行補助車の一例が開示されている。この歩行補助車は、利用者がスーパマーケットで買い物をする場合、スーパーマーケット備え付けの買い物カゴを上記蓋の上面に載置し、歩行補助車を押しながら店内を廻り、購入する物品を前記買い物カゴに入れるようにしている。
【０００７】
図４に示される従来の歩行補助車７は、図６に示されるように蓋５ａの上にスーパマーケット等に備え付けの買い物カゴ６を載置し、歩行補助車を押しながら店内を廻り、購入する物品を前記買い物カゴに入れるというふうに利用されることがある。
【０００８】
この際、図６に示すように買い物カゴ６が安定するよう買い物カゴ６の提げ手６ａと、ハンドル部３ａとの間に固定ベルト８を介在させることがある。この固定ベルト８は一方端縁をハンドル部３ａに固定してあり、他方端部は面状ファスナ等の固着手段により、提げ手６ａを巻回したうえで固定する構造となっている。特許文献２にはかかる固定ベルトを備えた歩行補助車が開示されている。
【先行技術文献】
【特許文献】
【０００９】
【特許文献１】特開２００８−２３８９０７号公報
【特許文献２】特開２００４−１９５９９９号公報
【発明の概要】
【発明が解決しようとする課題】
【００１０】
上記固定ベルト８は買い物カゴを安定させるためには有用なものであるが、歩行補助車のブレーキが緩やかに効いた状態を維持してしまい、歩行の妨げになってしまう恐れがある。以下、詳述する。
【００１１】
図７は固定ベルト８を、買い物カゴ６の提げ手６ａに巻回・固定していない状態を示すものである。かかる状態では固定ベルト８はブレーキ棒９の後方に垂れ下がってしまう。
【００１２】
かかる状態から、固定ベルト８を、買い物カゴ６の提げ手６ａに巻回・固定させると、固定部８ａの位置をハンドル部３ａに近い位置に持ってくると、図８に示されるようにブレーキ棒９が引き上げられてしまう恐れがあり、つまりはのブレーキが緩やかに効いた状態が維持されてしまう恐れがある。
【００１３】
本発明は上記のような不都合を回避可能な固定ベルトを備えた歩行補助車を提供することを目的とする。
【課題を解決するための手段】
【００１４】
上記の目的を達成する本考案の構成は以下の通りである。
【００１５】
（１) 請求項１に記載の発明は、下端に前輪を備えた前輪用フレームと、下端に後輪を備えた後輪用フレームと、上部が利用者が把持するハンドル部となるハンドルフレームと、以上の前脚フレームと後脚フレームとハンドルフレームとにより成る本体フレームの上下方向の中途部水平方向に設けられるバッグ用フレームと、バッグ用フレームに取り付けられるバッグとにより成る歩行補助車において、ハンドル部に面状ファスナを巻回し、一方面に雄型の面状ファスナが装着され、他方面に雌型の面状ファスナが装着され、端部に留め具を備え、中途部に剛性部を備えた固定ベルトをハンドル部に取り付けた面状ファスナに取り付けて構成した。
【００１６】
（２) 請求項２に記載の発明は、請求項１に記載の歩行補助車において、剛性部を薄板を固定して構成した。
【発明の効果】
【００１７】
上記のように構成される本発明が、如何に作用して課題を解決するかを図面を参照しながら概説する。
【００１８】
図１は本発明の使用状態を示す説明図である。固定ベルト３０はその中途部に剛性部３３を備えている。それゆえ、予めブレーキ棒９の上面に固定ベルト３０が来るようにハンドル部３ａに固定ベルト３０を取り付けておけば、剛性部３３の剛性ゆえに固定ベルト３０がブレーキ棒９の下面に来ることはない。したがって図１に示す使用状態において、面状ファスナによる固定部３０ａをいかなる位置にしても、固定ベルト３０によりブレーキ棒９が引き上げられることがなく、つまりは固定ベルト３０によりブレーキが効いた状態が維持されるといった不都合が生じることがないのである。
【００１９】
しかも、本発明にかかる固定ベルト３０は、図９に示すように、提げ手６aにベルト本体３２を巻回していない場合でも、剛性部３３がブレーキ棒９に当接することでベルト本体３２がブレーキ棒９の下面に来る恐れがない。かかる点でもブレーキが効いた状態が維持されるといった不都合が生じることを抑制可能となる。
【００２０】
これに対し従来の固定ベルト８では、剛性部を備えないことから、その柔軟性及び自重により図７に示すように垂れ下がり、使用状態においては図８に示すようにブレーキ棒９の下面に当接しがちとなる。したがって使用者が面状ファスナによる固定部８ａをブレーキ棒９に近い位置にすると、ブレーキが効いた状態が維持されてしまうことになるのである。
【図面の簡単な説明】
【００２１】
【図１】本発明の使用状態を示す説明図
【図２】固定ベルトの表面を示す説明図
【図３】固定ベルトの裏面を示す説明図
【図４】従来例を模式的に示す説明図
【図５】従来例を模式的に示す説明図
【図６】従来例を模式的に示す使用状態説明図
【図７】固定ベルトとブレーキ棒の関係を示す説明図
【図８】固定ベルトとブレーキ棒の関係を示す説明図
【図９】固定ベルトとブレーキ棒の関係を示す説明図
【発明を実施するための形態】
【００２２】
以下、好ましい発明の一実施形態につき、図面を参照しながら概説する。なお、本発明の実施の形態は、下記の実施形態に何ら限定されることはなく、本発明の技術的範囲に属
する限り種々の形態を採りうる。 
【００２３】
本発明にかかる歩行補助車は、固定ベルト及びハンドル部に面状ファスナを巻回している点を除く部分は図４に示す従来の歩行補助車と同様のフレーム構造等を有するものである。したがって同図を用いて本発明にかかる歩行補助車２０のフレーム構造を概説する。なお、符号も同一部材に関しては同一符号を用いる。
【００２４】
本発明にかかる歩行補助車２０は、図４に示すように下端に前輪１ａを備えた一対の前輪用フレーム１と、下端に後輪２ａを備えた一対の後輪用フレーム２と、上部が利用者が把持するハンドル部３ａとなるハンドルフレーム３と、以上の前脚フレーム１、後脚フレーム２及びハンドルフレーム３より成る本体フレームの上下方向の中途部水平方向に設けられるバッグ用フレーム４を主なフレーム構造とする。
【００２５】
前脚フレーム１はパイプ材によって形成されており、その下端に前輪１ａが回転自在に取り付けられている。後脚フレーム２もパイプ材によって形成されており、その下端に後輪１ａが回転自在に取り付けられている。これら前脚フレーム１と後脚フレーム２とはその上端で回動可能に連結されるものである。
【００２６】
ハンドルフレーム３はコ字状のパイプ材であり、その両端は後脚フレーム２に対して回動可能に連結されている。
【００２７】
バッグ用フレーム４は方形のパイプ材であり、一対の後脚フレーム２，２それぞれに対して回動可能に連結されており、バッグを嵌め込むことが可能な構造となっている。
【００２８】
以上のように前脚フレーム１と後脚フレーム２が回動可能に連結され、ハンドルフレーム３と後脚フレーム２が回動可能に連結され、バッグ用フレーム４と後脚フレーム２が回動可能に連結されていることから、本体フレームは折畳むことが可能となるものである。
【００２９】
ハンドルフレーム３の上辺はハンドル部３ａとなっており、このハンドル部３ａと平行にブレーキ棒９が設けられている。ブレーキ棒９はハンドルフレーム３の垂直方向の一対の辺部３ｂ，３ｂに対して回動可能に取り付けられた円盤１２，１２に両端が取り付けられており、使用者がハンドル部３ａに手をかけた状態でブレーキ棒９を握ると、円盤１２が回動する構造となっている。
【００３０】
後脚フレーム２，２の下部にはそれぞれ制動部１１，１１が揺動自在に取り付けられている。制動部１１は端部が屈曲された板材である。制動部１１，１１同士は、フレーム１３で連結されており、一方が揺動すると他方も揺動する構造となっている。
【００３１】
一方の制動部１１と一方の円盤１２はワイヤ１０で連結されており、ブレーキ棒９を握り円盤１２が回動すると、制動部１１が揺動し、後輪２に当接することで、後輪２にブレーキが効く構造となっている。むろん、ブレーキ構造は、かかるものに限定されるものではなく、ワイヤが引き上げられるとブレーキシューが引き上げられ、後輪や後輪を構成する部材に当該ブレーキシューが当接することでブレーキが効くといった構造でも構わない。
【００３２】
図２は固定ベルト３０の表面を、図３は固定ベルト３０の裏面を示すものである。図示されるように固定ベルト３０はその端部に留め具３１ａ，３１ｂを備えるベルト体であり、図１に示すように、ハンドル部３ａに巻回された面状ファスナ４０に取り付けて使用するものである。具体的にはベルト本体３２を面状ファスナ４０に巻回し、雄型ホックである留め具３１ａを雌型ホックである３１ｂに嵌合して取り付けるものである。
【００３３】
ベルト本体３２の表面には雄型の面状ファスナ３４が、裏面には雌型の面状ファスナ３５が設けられており、図１に示すようにベルト本体３２をカゴ６の提げ手６ａに巻回したうえでオス型の面状ファスナ３４とメス型の面状ファスナ３５を当接させて、カゴ６を固定するものである。
【００３４】
ベルト本体３２の中途部には剛性部３３が設けられている。図２、図３においてはベルト本体３２にポケット部３６を設け、当該ポケット部３６に板材３７を挿入することで剛性部３３を形成してある。剛性部３３の形成方法としては、他に、板材をベルト本体に接着したり、あるいは剛性部３３を剛性を有する素材で形成し両端にベルと本体を接合するといった方法、その他任意の方法を採用できる。
【符号の説明】
【００３５】
１・・前輪フレーム            １ａ・・前輪
２・・後輪フレーム            ２ａ・・後輪
３・・ハンドルフレーム        ３ａ・・ハンドル部
４・・バッグ用フレーム        ５・・バッグ
２０・・歩行補助車
３０・・固定ベルト            ３１・・留め具
３３・・剛性部                ３４・・雄型の面状ファスナ
３５・・雌型の面状ファスナ    ４０・・面状ファスナ
【図１】
2018111376.tif 000003
【図２】
2018111376.tif 000004
【図３】
2018111376.tif 000005
【図４】
2018111376.tif 000006
【図５】
2018111376.tif 000007
【図６】
2018111376.tif 000008
【図７】
2018111376.tif 000009
【図８】
2018111376.tif 000010
【図９】
2018111376.tif 000011
【手続補正書】
【提出日】平成30年1月20日(2018.1.20)
【手続補正１】
【補正対象書類名】特許請求の範囲
【補正対象項目名】全文
【補正方法】変更
【補正の内容】
【特許請求の範囲】
【請求項１】
下端に前輪を備えた前輪用フレームと、下端に後輪を備えた後輪用フレームと、上部が利用者が把持するハンドル部となるハンドルフレームと、以上の前輪用フレームと後輪用フレームとハンドルフレームとにより成る本体フレームの上下方向の中途部水平方向に設けられるバッグ用フレームと、バッグ用フレームに取り付けられるバッグと、ハンドル部と平行に設けられたブレーキ棒と、により成る歩行歩行補助車において、
ハンドル部に面状ファスナを巻回したこと、
一方面に雄型の面状ファスナが装着され、多方面に雌型の面状ファスナが装着され、端部に留め具を備え、中途部に剛性部を備えた固定ベルトをハンドル部に取り付けた面状ファスナに取り付けたこと、  を特徴とする歩行補助車。
【請求項２】
剛性部が薄板を固定して構成した請求項１に記載の歩行補助車。
【手続補正書】
【提出日】平成30年1月20日(2018.1.20)
【手続補正１】
【補正対象書類名】明細書
【補正対象項目名】００１５
【補正方法】変更
【補正の内容】
【００１５】
（１) 請求項１に記載の発明は、下端に前輪を備えた前輪用フレームと、下端に後輪を備えた後輪用フレームと、上部が利用者が把持するハンドル部となるハンドルフレームと、以上の前輪用フレームと後輪用フレームとハンドルフレームとにより成る本体フレームの上下方向の中途部水平方向に設けられるバッグ用フレームと、バッグ用フレームに取り付けられるバッグと、ハンドル部と平行に設けられたブレーキ棒と、により成る歩行歩行補助車において、ハンドル部に面状ファスナを巻回したこと、一方面に雄型の面状ファスナが装着され、多方面に雌型の面状ファスナが装着され、端部に留め具を備え、中途部に剛性部を備えた固定ベルトをハンドル部に取り付けた面状ファスナに取り付けて構成した。